(57)【要約】【課題】  本発明は、情報処理を行う、コンピュータ等の情報処理装置に関し、使用時にはユーザにとって使い勝手の良いレイアウトを確保するとともに、良好な運搬性を確保する。  【解決手段】  一面に表示画面１１を有する表示部１０と、表示部１０を、上記一面を内側にして開閉自在に支持し、開時にはその表示部１０を立設させる台として作用する本体部２０と、本体部２０の手前側に物理的に切離し自在に結合してその本体部２０と一体的に広がり、上面に情報入力用の操作子が配置された入力部３０とを備え、本体部２０とその本体部２０に結合した状態の入力部３０とを合わせた奥行き方向の寸法と、表示部１０の閉時の奥行き方向の寸法を、実質的に同一とした。【選択図】        図１
2008033745.tif 000002
【特許請求の範囲】
【請求項１】
一面に表示画面を有する表示部と、
前記表示部を、前記一面を内側にして開閉自在に支持し、開時には該表示部を立設させる台として作用する本体部と、
前記本体部の手前側に物理的に切離し自在に結合して該本体部と一体的に広がり、上面に情報入力用の操作子が配置された入力部とを備え、
前記本体部と該本体部に結合した状態の前記入力部とを合わせた奥行き方向の寸法と、前記表示部の閉時の奥行き方向の寸法が、実質的に同一であることを特徴とする情報処理装置。
【請求項２】
前記表示部は、前記一面に対する背面が、該背面の周縁部が盛り上がったトレー形状を有する面であることを特徴とする請求項１記載の情報処理装置。
【請求項３】
前記本体部の手前側の側面および前記入力部の奥側の側面に、互いを結合させるための連結部を有することを特徴とする請求項１記載の情報処理装置。
【請求項４】
前記表示部が、該表示部を閉じたときの手前側の側面に、該表示部を閉じることによって、前記本体部に結合した状態の前記入力部の手前側の側面前面に繰り出して、該入力部の該本体部からの抜け止めとなる鍔部を有することを特徴とする請求項１記載の情報処理装置。
【請求項５】
前記本体部が、該本体部の奥側の側面に、手で把持して当該情報処理装置を持ち上げるための把持部を有することを特徴とする請求項１記載の情報処理装置。
【請求項６】
一端部が、前記表示部の、前記一面に対する背面を回動自在に支持するとともに、他端部が、前記本体部に回動自在に支持されてなる支持部材を備え、
前記本体部は、前記支持部材を介在させて前記表示部を開閉自在に支持するものであることを特徴とする請求項１記載の情報処理装置。
【請求項７】
前記一端部が、前記表示部をフリクションにより回動範囲内の任意の角度で支持するものであり、前記他端部が、前記本体部に対する前記支持部材の角度をフリクションにより回動範囲内の任意の角度に維持するものであることを特徴とする請求項６記載の情報処理装置。
【請求項８】
前記入力部は、前記操作子の操作情報を前記本体部に無線で送信するワイヤレスキーボードであることを特徴とする請求項１記載の情報処理装置。
【請求項９】
一面に表示画面を有する表示部と、
一端部が、前記表示部の、前記一面に対する背面を回動自在に支持する支持部材と、
前記支持部材の他端部を回動自在に支持することにより、前記表示部を、前記一面を内側にし該支持部材を介在させて開閉自在に支持し、開時には該表示部を立設させる台として作用する本体部と、
前記本体部と一体的に広がり、上面に情報入力用の操作子が配置された入力部とを備えたことを特徴とする情報処理装置。
【請求項１０】
前記一端部が、前記表示部をフリクションにより回動範囲内の任意の角度で支持するものであり、前記他端部が、前記本体部に対する前記支持部材の角度をフリクションより任意の角度に維持するものであることを特徴とする請求項９記載の情報処理装置。
【発明の詳細な説明】
【技術分野】
【０００１】
本発明は、情報処理を行う、コンピュータ等の情報処理装置に関する。
【背景技術】
【０００２】
コンピュータを用いた作業においては情報を表示する表示装置（以下、ディスプレイという）が用いられる。
【０００３】
このコンピュータには、ディスプレイと本体装置が分離されたデスクトップタイプや、ディスプレイ部とキーボードが配置された本体部がヒンジにより連結されたノートタイプ（ラップトップタイプ）等の各種形態がある。
【０００４】
デスクトップタイプのコンピュータは据え置き状態で利用されるため装置サイズをさほど気にする必要はなく、多くの情報を表示して作業効率を向上できるよう大型のディスプレイが利用される。
【０００５】
一方、ノートタイプのコンピュータは、それ１つで作業ができること、ディスプレイ部を本体部に閉じた状態にして不使用時に小サイズ化できることから、主に社外での持ち運び用途で会社員に利用される。しかしながら、持ち運び用途を重視すると、コンピュータのサイズの小型化に伴ってディスプレイ部のサイズも小型化せざるを得なくなり、作業効率が低下することになる。
【０００６】
また、企業においては、ノートタイプのコンピュータを持ち運び、無線ネットワークを利用して会議ができるよう社内のネットワーク環境を充実させている。また、近年は、社員に自席を持たせないフリーレイアウトオフィスを採用している企業も増えており、ますます、社内で移動して仕事を行う状況が増えている。
【０００７】
このように移動して仕事する場合には、コンピュータだけでなく、各種書類や筆記用具なども一緒に持ち歩いている。このように、コンピュータと他の物を一緒に持ち歩く際に、その運搬性を向上できるよう本体部に引き出し可能なトレイをもったノートタイプコンピュータが知られている（例えば、特許文献１参照）。
【特許文献１】特開平０８−０４４４５８号公報
【発明の開示】
【発明が解決しようとする課題】
【０００８】
上述のような従来のコンピュータには以下の問題がある。
（１）デスクトップタイプのコンピュータは、ディスプレイ、本体装置、キーボードなど各ユニットが分離しており、それぞれが大型であるため一緒に持ち運ぶのに難がある。
（２）ノートタイプのコンピュータは、それ単体での可搬性に優れるが、ちょっとした移動のときに一緒に他の物を持ち運ぶ際は不便である。
（３）上述の公知例では、コンピュータのトレイに収納し、コンピュータと一緒に他の物を持ち運ぶことが可能であるが、そのトレイは本体部に引き出し可能に設けられたものである。そのため、コンピュータの本体部を厚くする必要があり、不要にコンピュータを大型化する原因となる。また、トレイ用のスペースを本体部に設ける必要があるため、これもコンピュータを大型化する原因にもなる。
【０００９】
本発明は、上記事情に鑑み、使用時にはユーザにとって使い勝手の良いレイアウトを確保するとともに良好な運搬性を確保した情報処理装置を提供することを目的とする。
【課題を解決するための手段】
【００１０】
上記目的を達成する本発明の情報処理装置のうちの第１の情報処理装置は、
一面に表示画面を有する表示部と、
上記表示部を、上記一面を内側にして開閉自在に支持し、開時にはその表示部を立設させる台として作用する本体部と、
上記本体部の手前側に物理的に切離し自在に結合してその本体部と一体的に広がり、上面に情報入力用の操作子が配置された入力部とを備え、
上記本体部とその本体部に結合した状態の上記入力部とを合わせた奥行き方向の寸法と、上記表示部の閉時の奥行き方向の寸法が、実質的に同一であることを特徴とする。
【００１１】
本発明の第１の情報処理装置は、情報入力用の操作子が配置された入力部（例えばキーボード）が本体部から切り離し自在であるため、その入力部を本体部から離してユーザの使い易い位置に置くことができ、また、本体部は本体部で、その本体部に支持された表示部がユーザにとって見易い位置となるように置くことができ、使用時にユーザにとって使い勝手の良いレイアウトを確保することができる。
【００１２】
また、本発明の第１の情報処理装置は、上記の入力部を本体部に結合させることができ、結合させた状態では、入力部が本体部と一体的に広がり、また表示部は、本体部とその本体部に結合した状態の入力部とを合わせた奥行き寸法と実質的に同一の奥行き寸法を有しており、入力部を本体部と結合させるとともに表示部を本体部および入力部の上に閉じた状態として、この情報処理装置を容易に持ち運ぶことができ、良好な運搬性も確保されている。
【００１３】
ここで、上記本発明の第１の情報処理装置において、上記表示部は、上記一面に対する背面が、その背面の周縁部が盛り上がったトレー形状を有する面であることが好ましい。
【００１４】
このように、表示部の背面を、その背面の周縁部が盛り上がったトレー形状に形成すると、この情報処理装置を持ち運ぶ際にその表示部の背面に各種書類や筆記用具等を載せて一緒に持ち運ぶことができ、一層良好な運搬性が確保される。
【００１５】
また、本発明の第１の情報処理装置において、本体部の手前側の側面および入力部の奥側の側面に、互いを結合させるための連結部を有することが好ましい。
【００１６】
このような連結部を備えることにより入力部と本体部との一体性が保たれ、運搬時、および、入力部を本体部に結合させた状態での使用時の便宜となる。
【００１７】
また、本発明の第１の情報処理装置において、上記表示部が、その表示部を閉じたときの手前側の側面に、その表示部を閉じることによって、本体部に結合した状態の入力部の手前側の側面前面に繰り出して、入力部の本体部からの抜け止めとなる鍔部を有することが好ましい。
【００１８】
この鍔部を設けることにより、使用状態における入力部手前側の側面を下にして持ち上げても入力部が本体部から抜け落ちることが防止され、そのような縦の姿勢にして運ぶ場合の良好な運搬性が確保される。
【００１９】
さらに、本発明の第１の情報処理装置において、上記本体部が、その本体部の奥側の側面に、手で把持してこの情報処理装置を持ち上げるための把持部を有することが好ましい。
【００２０】
この把持部を備えることによりその把持部を片手で持ち上げて運ぶことができ、良好な運搬性が確保される。
さらに、本発明の第１の情報処理装置において、一端部が、表示部の、上記一面に対する背面を回動自在に支持するとともに、他端部が、本体部に回動自在に支持されてなる支持部材を備え、上記本体部は、上記支持部材を介在させて表示部を開閉自在に支持するものであることが好ましい。
【００２１】
上記の支持部材を備えることにより、表示部がデスクトップコンピュータの表示部と同様に支持され、使用時の表示画面の見易さが向上する。
【００２２】
ここで、上記の支持部材を備えた構成の場合に、上記一端部が、表示部をフリクションにより回動範囲内の任意の角度で支持するものであり、上記他端部が、本体部に対する支持部材の角度をフリクションにより回動範囲内の任意の角度に維持するものであることが好ましい。
【００２３】
フリクションで任意の角度に保つことができるように維持することにより、表示画面を、そのユーザにとって見易い、任意の高さ位置かつ任意の角度に微調整することができる。
【００２４】
また、上記本発明の第１の情報処理装置において、上記入力部は、操作子の操作情報を前記本体部に無線で送信するワイヤレスキーボードであることが好ましい。
【００２５】
ワイヤレスキーボードとすることにより煩らわしいコードをなくすことができ、一層良好な使い勝手を確保することができる。
【００２６】
また、上記目的を達成する本発明の情報処理装置のうちの第２の情報処理装置は、
一面に表示画面を有する表示部と、
一端部が、表示部の、上記一面に対する背面を回動自在に支持する支持部材と、
上記支持部材の他端部を回動自在に支持することにより、表示部を、上記一面を内側にし支持部材を介在させて開閉自在に支持し、開時には表示部を立設させる台として作用する本体部と、
上記本体部と一体的に広がり、上面に情報入力用の操作子が配置された入力部とを備えたことを特徴とする。
【００２７】
本発明の第２の情報処理装置は、入力部が本体部に切離し自在であるか否かを問わず、上記の支持部材を備えたことを特徴とするものであり、表示部がデスクトップコンピュータの表示部と同様に支持され、使用時の表示画面をユーザにとって見易い高さや見易い角度に調整することができる。また、表示部を本体部および入力部の上に閉じることにより、良好な運搬性が確保される。
【００２８】
ここで、本発明第２の情報処理装置においても、上記一端部が、表示部をフリクションにより回動範囲内の任意の角度で支持するものであり、上記他端部が、本体部に対する支持部材の角度をフリクションより任意の角度に維持するものであることが好ましい。
【００２９】
フリクションで任意の角度に保つことができるように維持することにより、表示画面を、そのユーザにとって見易い、任意の高さ位置かつ任意の角度に微調整することができる。
【００３０】
その他、本発明の第２の情報処理装置においても、本発明の第１の情報処理装置と同様な態様を採用することができる。
【発明の効果】
【００３１】
以上の本発明によれば、ユーザにとって使い勝手が良いレイアウトを確保するとともに、良好な運搬性を確保することができる。
【発明を実施するための最良の形態】
【００３２】
以下、本発明の実施形態について説明する。
【００３３】
図１は、本発明の一実施形態としてのパーソナルコンピュータ（以下、「ＰＣ」と略記する）の、開状態の斜視図である。
【００３４】
また、図２、図３は、図１に示すＰＣの開状態の、それぞれ、右側面図および左側面図、図４、図５は、図１に示すＰＣの開状態のそれぞれ、上面図および底面図、図６、図７は、図１に示すＰＣの開状態の、それぞれ、正面図および背面図である。
【００３５】
また、図８は、図１〜図７に開状態を示すＰＣと同一ＰＣの、閉状態の斜視図である。
【００３６】
さらに、図９、図１０は、図８に示すＰＣの閉状態の、それぞれ、上面図および底面図である。
【００３７】
さらに、図１１は、Ｐ１に示すＰＣの開状態の、斜め後ろから見たときの斜視図である。
【００３８】
ここに示すＰＣ１は、図１に示すように、表示部１０と、本体部２０と、入力部３０を有する。
【００３９】
表示部１０は、その表面のほぼ全面に表示画面１１を有し、本体部２０からの指示に応じて、その表示画面１１上に画像を表示する。
【００４０】
また、表示部１０の、開いた状態における上端、すなわち、図８に示すように表示部１０を閉じたときの、その表示部１０の手前側の側面に、鍔部１２が形成されている。この鍔部１２の作用については後述する。
【００４１】
また、本体部２０は、表示部１０を、表示画面１１を有する面を内側にして開閉自在に支持し、開時には表示部１０を立設させる台として作用する。本実施形態では、本体部２０は、図１１に示すように、支持部材４０を介在させて表示部１０を開閉自在に支持している。
【００４２】
この支持部材４０は、表示部１０側の一端部がヒンジ部４１１，４１２により表示部１０の背面を回動自在に支持するとともに、他端部がヒンジ部４２１，４２２により本体部２０に回動自在に支持されている。
【００４３】
ここで、表示部１０側のヒンジ部４１１，４１２は、表示部１０を、フリクションにより、その回動範囲内の任意の角度で支持するものであり、本体部２０側のヒンジ部４２１，４２２も、フリクションにより、その回動範囲内の任意の角度に維持されるものである。したがって、本体部２０は、表示部１０を、支持部材４０を介して、表示画面１１が本体部２０に対し任意の高さ位置かつ任意の角度に保つように支持することができる。
【００４４】
この本体部２０は、ＣＰＵ等が内蔵されていて演算処理を担うものであるが、本実施形態では、磁気ディスク装置等の大容量記憶装置は内蔵されておらず、シンクライアントとして動作するものである。ただし、本発明は、シンクライアントに限られるものではなく、ハードディスク装置等を内蔵したＰＣにも適用することができる。
【００４５】
本実施形態における本体部２０は、図１１に示すように、その奥側の側面に、電源用のＡＣアダプタが接続されるＡＣアダプタ接続部２１、ＬＡＮ（Ｌｏｃａｌ  Ａｒｅａ  Ｎｅｔｗｏｒｋ）用のコネクタが接続されるＬＡＮコネクタ接続部２２、ＵＳＢ（Ｕｎｉｖｅｒｓａｌ  Ｓｅｒｉａｌ  Ｂｕｓ）用のコネクタが接続される、２つのＵＳＢコネクタ接続部２３１，２３２が設けられている。また、本体部２０の奥側の側面には、手で把持してこのＰＣ１を持ち上げるための把っ手２４が設けられている。また、この本体部２０の左右の側面には、このＰＣ１を持ち上げるときの指掛りのための抉られた形状の指掛り部２５１，２５２（図５参照）が設けられている。さらに、この本体部２０の手前側の側面には、入力部３０を結合させるための連結部２６を有する。
【００４６】
また、入力部３０は、上面に情報入力用の複数のキー３１が配列され、それらのキー操作を無線で本体部２０に送信するワイヤレスキーボードであり、この入力部３０の上面の右の奥側の位置に、認証用の指紋センサ３２が設けられている。また、この入力部３０の奥側の側面には、本体部２０の連結部２５と結合する連結部３３が設けられている。
【００４７】
ここで、この入力部３０は、図１に示すような、本体部２０から切り離された状態と、図１１に示すような、その入力部３０の連結部３３を、本体部２０の連結部２５と結合させた状態との双方の状態が可能であり、本体部２０と結合した状態では、本体部２０と一体的に広がるように寸法が定められており、また、図８に示すように、本体部２０とその本体部２０に結合した状態の入力部３０とを合わせた奥行き方向の寸法が、閉時の表示部１０の奥行き方向の寸法と比べ実質的に同一となる寸法に形成されている。
【００４８】
このＰＣ１は、運搬にあたっては、図８に示すように、入力部３０を本体部２０に結合し、さらに、それら入力部３０および本体部２０の上に表示部１０を閉じた、その状態で運搬されるが、本実施形態では、２種類の運搬方法が想定されている。
【００４９】
１つは表示部１０の背面１３を上面にして手前側の端部を腹に当てて指掛り部２５１，２５２を手で持ち上げて運搬する方法であり、例えば、１つの部屋の中での運搬や隣りの部屋への運搬など、比較的短かい距離での運搬に適した運搬方法である。
【００５０】
表示部１０の背面１３は、図８に示すように、その背面１３の周縁部に盛り上がって一周する突条縁１４が設けられており、この背面１３が全体としてトレー形状に形成されている。このため、図８に示すように、その表示部１０の背面１３に筆記用具等を載せても落下しにくく、その背面１３に筆記用具や書類等を載せてこのＰＣ１と一緒に運ぶことができる。
【００５１】
もう１つの運搬方法は、把っ手２４を手で持って、このＰＣ１を縦にして持ち運ぶ運搬方法であり、このＰＣ１を比較的遠距離に運搬するのに適している。
【００５２】
入力部３０を本体部２０に結合させてその上に表示部１０を閉じると、前述した鍔部１２が入力部３０の手前側の側面３４の前面に繰り出して入力部の手前側の側面３４を押さえる。このため、把っ手２４を手で持ってこのＰＣ１を持ち上げても、本体部２０の連結部２６と入力部３０の連結部３３との結合が外れて入力部３０が落下してしまう危険性が回避され、このＰＣ１を安全に運搬することができる。
【図面の簡単な説明】
【００５３】
【図１】本発明の一実施形態としてのパーソナルコンピュータ（以下、「ＰＣ」と略記する）の、開状態の斜視図である。
【図２】図１に示すＰＣの開状態の右側面図である。
【図３】図１に示すＰＣの開状態の左側面図である。
【図４】図１に示すＰＣの開状態の上面図である。
【図５】図１に示すＰＣの開状態の底面図である。
【図６】図１に示すＰＣの開状態の正面図である。
【図７】図１に示すＰＣの開状態の背面図である。
【図８】図１〜図７に開状態を示すＰＣと同一ＰＣの、閉状態の斜視図である。
【図９】図８に示すＰＣの閉状態の上面図である。
【図１０】図８に示すＰＣの閉状態の底面図である。
【図１１】図１に示すＰＣの開状態の、斜め後ろから見たときの斜視図である。
【符号の説明】
【００５４】
１    ＰＣ
１０    表示部
１１    表示画面
１２    鍔部
１３    背面
１４    突状縁
２０    本体部
２１    ＡＣアダプタ接続部
２２    ＬＡＮコネクタ接続部
２３１，２３２    ＵＳＢコネクタ接続部
２４    把っ手
２５１，２５２    指掛り部
２６    連結部
３０    入力部
３１    キー
３２    指紋センサ
３３    連結部
４０    支持部材
４１１，４１２，４２１，４２２    ヒンジ部
【図１】
2008033745.tif 000003
【図２】
2008033745.tif 000004
【図３】
2008033745.tif 000005
【図４】
2008033745.tif 000006
【図５】
2008033745.tif 000007
【図６】
2008033745.tif 000008
【図７】
2008033745.tif 000009
【図８】
2008033745.tif 000010
【図９】
2008033745.tif 000011
【図１０】
2008033745.tif 000012
【図１１】
2008033745.tif 000013